(57)【要約】【課題】複数の機器に対するコンテンツのコピーを容易にするコンテンツ記録装置及びダビング管理方法を提供すること。【解決手段】コンテンツを記憶する記憶手段と、前記コンテンツを所定のフォーマットに変換する変換手段と、フォーマット変換後の前記コンテンツに複製可能回数を設定する複製回数設定手段と、を備えることとする。また、記憶されているコンテンツを所定のフォーマットに変換するステップと、フォーマット変換後の前記コンテンツに複製可能回数を設定するステップと、を有することとする。【選択図】図１
2014044637.tif 000002
【特許請求の範囲】
【請求項１】
コンテンツを記憶する記憶手段と、前記コンテンツを所定のフォーマットに変換する変換手段と、フォーマット変換後の前記コンテンツに複製可能回数を設定する複製回数設定手段と、を備えることを特徴とするコンテンツ記録装置。
【請求項２】
前記記憶手段は、フォーマット変換前の前記コンテンツとフォーマット変換後の前記コンテンツとを記憶することを特徴とする請求項１に記載のコンテンツ記録装置。
【請求項３】
前記コンテンツの複製回数を管理する管理手段を備え、前記管理手段は、前記複製回数設定手段により、フォーマット変換後の前記コンテンツの複製可能回数が設定されるに伴って、フォーマット変換前の前記コンテンツの複製可能回数を減算することを特徴とする請求項１又は請求項２に記載のコンテンツ記録装置。
【請求項４】
フォーマット変換後の前記コンテンツの複製可能回数を変更する変更手段を備えることを特徴とする請求項１〜請求項３のいずれか１項に記載のコンテンツ記録装置。
【請求項５】
前記管理手段は、フォーマット変換後の前記コンテンツの複製可能回数が変更されるに伴って、フォーマット変換前の前記コンテンツの複製可能回数を加算又は減算することを特徴とする請求項４に記載のコンテンツ記録装置。
【請求項６】
前記複製回数設定手段はさらに、前記変換手段によるフォーマット変換の開始時間を設定する変換時間設定手段を有し、前記変換手段は前記変換時間設定手段によって設定された時間に前記コンテンツを所定のフォーマットに変換することを特徴とする請求項１〜請求項５のいずれか１項に記載のコンテンツ記録装置。
【請求項７】
前記コンテンツの変換フォーマットとして２以上のフォーマットが指定可能であり、前記複製回数設定手段はフォーマット毎に複製可能回数が設定可能であることを特徴とする請求項１〜請求項６のいずれか１項に記載のコンテンツ記録装置。
【請求項８】
記憶されているコンテンツを所定のフォーマットに変換するステップと、
フォーマット変換後の前記コンテンツに複製可能回数を設定するステップと、
を有することを特徴とするダビング管理方法。
【発明の詳細な説明】
【技術分野】
【０００１】
本発明は、コンテンツ記録装置及びダビング管理方法に関する。
【背景技術】
【０００２】
現在ＴＶ放送はアナログ放送が終了し、地上波及び衛星波デジタル放送で行われている。このようなデジタル放送はアナログ放送に比べて画質の劣化が極めて小さいことが一つの特徴である。従って、一般視聴者に対してデジタル放送をデジタル方式で複製することを際限なく許可すると、不正コピー品の流通及びこれに伴う放送事業者の損失の発生が懸念されることから、複製回数に関する制限が設けられている。
【０００３】
複製回数の制限方法としてはコピーを一回のみ可能とする「コピーワンス」や、ダビング回数を１０回以内に制限する「ダビング１０」が広く知られている。「ダビング１０」は９回のコピーと１回のムーブが許されるものである。つまり、「ダビング１０」ではコピーが行われる度に、複製可能回数が減り、複製可能回数が残り１回となった状態でコピーを行うと、元の保存先からデータが消去される（すなわちコンテンツがコンテンツ記録装置からコピー先のコンテンツ再生装置に移動（ムーブ）する）。
【０００４】
ダビング１０においてはコピーとは、録画されたコンテンツを、録画したコンテンツ記録装置（１世代目）から他のコンテンツ再生装置（２世代目）に複製することであり、当該コンテンツ再生装置（２世代目）からさらに別のコンテンツ再生装置（３世代目）に複製する、いわゆる孫コピーが一切禁止される。従って、コンテンツ再生装置にコンテンツをコピーする際には、コンテンツを録画したコンテンツ録画装置からコンテンツをコピーしなければならない。
【０００５】
ところでコンテンツを再生するためのコンテンツ再生装置はその機種等によって再生可能なコンテンツのフォーマットが異なっており、コンテンツ記録装置からコンテンツ再生装置にコンテンツをコピーする際には、コピー先のコンテンツ再生装置が再生可能なフォーマットに変換してからコピーが行われることになる。
【０００６】
このコンテンツのフォーマット変換にはある程度の時間を要するが、コンテンツ再生装置へのコピーが完了すると、フォーマット変換後のコンテンツはコンテンツ記録装置から自動的に消去される。従って複数の同一機種に同一のコンテンツをコピーする場合であっても、コピーを行う度にフォーマット変換を行う必要があるという問題があった。
【先行技術文献】
【特許文献】
【０００７】
【特許文献１】特開２００５−２４４５７６号公報
【発明の概要】
【発明が解決しようとする課題】
【０００８】
特許文献１には、必要とするコンテンツの個数を指定することで、複数の機器（コンテンツ記録装置）で同一のコンテンツを録画するコンテンツ処理システムが開示されている。これにより、コピーワンスのコンテンツを複数の機器で所有することが可能となり、そのコンテンツを複数の機器で所有することができるが、コピーを行う度にコンテンツ再生装置が再生可能なフォーマットに変換しなければならないことに変わりはない。
【０００９】
本発明は、上述した問題点に鑑み、複数の機器に対するコンテンツのコピーを容易にするコンテンツ記録装置及びダビング管理方法を提供することを目的とする。
【課題を解決するための手段】
【００１０】
上記目的を達成するために本発明のコンテンツ記録装置は、コンテンツを記憶する記憶手段と、前記コンテンツを所定のフォーマットに変換する変換手段と、フォーマット変換後の前記コンテンツに複製可能回数を設定する複製回数設定手段と、を備えることを特徴とする。
【００１１】
この構成によると、フォーマット変換後のコンテンツに複製可能回数が設定可能となり、当該コンテンツは設定された回数複製が可能となる。従って同一のフォーマット変換を繰り返し行う必要がなくなる。
【００１２】
また本発明は、上記構成のコンテンツ記録装置において、前記記憶手段は、フォーマット変換前の前記コンテンツとフォーマット変換後の前記コンテンツとを記憶することが望ましい。
【００１３】
この構成によると、フォーマット変換前のコンテンツが記憶手段に記憶されている。従って、フォーマット変換前のコンテンツに基づいてさらに異なるフォーマットに変換することができる。
【００１４】
また本発明は、上記構成のコンテンツ記録装置において、前記コンテンツの複製回数を管理する管理手段を備え、前記管理手段は、前記複製回数設定手段により、フォーマット変換後の前記コンテンツの複製可能回数が設定されるに伴って、フォーマット変換前の前記コンテンツの複製可能回数を減算することが望ましい。
【００１５】
この構成によると、フォーマット変換前のコンテンツの複製可能回数とフォーマット変換後のコンテンツの複製可能回数の合計が、複製回数に制限のあるコンテンツにおける残りの複製可能回数と等しくなる。従って適切に複製処理を行うことができる。
【００１６】
また本発明は、上記構成のコンテンツ記録装置において、フォーマット変換後の前記コンテンツの複製可能回数を変更する変更手段を備えることが望ましい。
【００１７】
この構成によると、必要に応じてフォーマット変換後の複製可能回数を変更できる。
【００１８】
また本発明は、上記構成のコンテンツ記録装置において、前記管理手段は、フォーマット変換後の前記コンテンツの複製可能回数が変更されるに伴って、フォーマット変換前の前記コンテンツの複製可能回数を加算又は減算することが望ましい。
【００１９】
この構成によると、フォーマット変換後のコンテンツの複製可能回数の増減に伴ってフォーマット変換前のコンテンツの複製可能回数が増減するので、複製可能回数が無駄になることがない。
【００２０】
また本発明は、上記構成のコンテンツ記録装置において、前記複製回数設定手段はさらに、前記変換手段によるフォーマット変換の開始時間を設定する変換時間設定手段を有し、前記変換手段は前記変換時間設定手段によって設定された時間に前記コンテンツを所定のフォーマットに変換することが望ましい。
【００２１】
この構成によると、フォーマット変換時間を指定することが可能となる。これにより、フォーマット変換後のコンテンツが必要な時間から、フォーマット時間を逆算してフォーマット変換時間を設定することで、ユーザの利便性が向上する。
【００２２】
また本発明は、上記構成のコンテンツ記録装置において、前記コンテンツの変換フォーマットとして２以上のフォーマットが指定可能であり、前記複製回数設定手段はフォーマット毎に複製可能回数が設定可能であることが望ましい。
【００２３】
この構成によると、複数のフォーマットへの変換指示及び複製可能回数の設定が一度の操作で可能となり、ユーザの利便性が向上する。
【００２４】
上記目的を達成するために本発明のダビング管理方法は、記憶されているコンテンツを所定のフォーマットに変換するステップと、フォーマット変換後の前記コンテンツに複製可能回数を設定するステップと、を有することを特徴とする。
【発明の効果】
【００２５】
本発明によると、フォーマット変換後のコンテンツに複製可能回数が設定可能となり、当該コンテンツは設定された回数複製が可能となる。これにより、同一のフォーマット形式に対応した複数の機器に同一のコンテンツを複製する際に、複製する度にフォーマット変換を行う必要がない。すなわち、設定された複製可能回数が０回になるまでフォーマット変換後のコンテンツが保持され、複製可能なので複数の機器に短時間でコンテンツを複製することができる。
【図面の簡単な説明】
【００２６】
【図１】は、本発明のコンテンツ記録装置の構成の一例を示すブロック図である。
【図２】は、録画時におけるコンテンツの複製処理設定を示すフローチャートである。
【図３】は、本発明の第１実施形態のコンテンツ記録装置において表示部に表示される番組表の一例を示す図である。
【図４】は、本発明の第１実施形態のコンテンツ記録装置において表示部に表示される録画設定画面の一例を示す図である。
【図５】は、本発明の第１実施形態のコンテンツ記録装置において表示部に表示される複製設定画面の一例を示す図である。
【図６】は、本発明の第１実施形態のコンテンツ記録装置において表示部に表示される画質設定画面の一例を示す図である。
【図７】は、本発明の第１実施形態のコンテンツ記録装置において表示部に表示される複製回数設定画面の一例を示す図である。
【図８】は、録画済コンテンツの複製処理設定を示すフローチャートである。
【図９】は、本発明の第２実施形態のコンテンツ記録装置において表示部に表示される複製設定画面の一例を示す図である。
【図１０】は、本発明の第１実施形態のコンテンツ記録装置において表示部に表示される複製設定画面の他の例を示す図である。
【発明を実施するための形態】
【００２７】
[第１実施形態]
以下に本発明の実施形態について図面を参照して説明する。但し、以下に示す実施形態は、本発明の技術的思想を具体化するために本発明のコンテンツ記録装置の一例を示すものであって、本発明をこのコンテンツ記録装置に特定することを意図するものではなく、特許請求の範囲に含まれるその他の実施形態のコンテンツ記録装置にも等しく適応し得るものである。
【００２８】
図１は本発明のコンテンツ記録装置１の構成を示すブロック図である。コンテンツ記録装置１は制御部１１、アンテナ１２、チューナ１３、信号処理部１４、映像処理部１５、変換部１６、音声処理部１７、スピーカ１８、複製回数設定部１９、複製回数管理部２０、複製回数変更部２１、表示部２２、操作部２３、記憶部２４を備える。
【００２９】
制御部１１はコンテンツ記録装置１全体を総括的に制御する制御手段である。制御部１１はＣＰＵ１１１とＲＯＭ１１２とＲＡＭ（メモリ）１１３とを含んでいる。ＲＯＭ１１２には制御部１１が実行するプログラム、プログラムの実行に必要なパラメータやデータが記憶されている。ＣＰＵ１１１はＲＯＭ１１２に記憶されている各種プログラムを実行する。ＲＡＭ（メモリ１１３）は各種処理の過程で得られるデータや各種処理の結果得られるデータを一時的に格納する。これらＣＰＵ１１１、ＲＡＭ１１２、ＲＯＭ１１３等は、バスを介して接続されている。なお、ＣＰＵ１１１、ＲＯＭ１１２及びＲＡＭ１１３はこれらの一部または全部を１チップに集積化しても構わない。
【００３０】
アンテナ１２は地上デジタル放送及び衛星デジタル放送用のアンテナであり、放送局から送信された放送電波を受信する。チューナ１３はアンテナ１２が受信した放送電波の中から所望の（ユーザによって選択されたチャンネルの）放送電波（放送信号）に対して復調処理を行う。これによって放送信号がデジタルの映像信号及び音声信号に復調れ、トランスポートストリーム形式（ＴＳ形式）の復調信号が信号処理部１４に出力される。
【００３１】
信号処理部１４は、デコーダ機能を有し、テレビ視聴時においては、入力される復調信号に対して所定のデジタル信号処理を施して、夫々を映像処理部１５、音声処理部１７に出力する。一方、後述する記憶部２４に記憶されたコンテンツを再生する際には、コンテンツの再生信号に対して所定のデジタル信号処理を施して、夫々を映像処理部１５、音声処理部１７に出力する。
【００３２】
映像処理部１５は信号処理部１４から入力されるデジタルの映像データと、電子番組ガイド情報、番組属性情報、字幕情報等に基づいてＥＰＧ、字幕を表示するための画像生成処理を行い、変換部１６に出力する。
【００３３】
変換部１６は、映像処理部１５からのデジタル映像信号を表示部２２で表示可能なフォーマット（画素数、フレーム周波数、走査方式）に変換したり、表示色を任意に調整したりして、表示部２２に出力する。また、変換部１６は記憶部２４に記憶されるコンテンツを他の機器に複製する際に、当該コンテンツを当該他の機器（複製先の機器）が再生可能なフォーマット（画質、画像サイズ、ファイル形式等）に変換する。これにより、フォーマット変換後のコンテンツを受信した機器（例えば携帯電話）において、当該コンテンツを再生することができる。
【００３４】
なお、以下において特別な言及がない限り「フォーマット変換されたコンテンツ」及び「フォーマット変換後のコンテンツ」は、「複製先の機器が再生可能なフォーマットに変換されたコンテンツ」を示すものとする。また、「フォーマット変換の対象となるコンテンツ」及び「フォーマット変換前のコンテンツ」を「オリジナルコンテンツ」ということとする。オリジナルコンテンツ及びフォーマット変換後のコンテンツは記憶部２４に記憶される。
【００３５】
音声処理部１７は信号処理部１４から入力されるデジタルの音声データをスピーカ１８で再生可能なアナログ音声信号に変換した後、スピーカ１８に出力して音声を再生させる。
【００３６】
複製回数設定部１９は、フォーマット変換後のコンテンツに対して複製可能な回数を設定する手段である。なお、フォーマット変換後のコンテンツに対して例えば複製可能な回数を３回と設定した場合には、２回のコピーと１回のムーブが可能になる。複製回数設定部１９により設定可能な複製可能回数は、オリジナルコンテンツの複製可能回数以下に限定される。
【００３７】
複製回数管理部２０は記憶部２４に記憶されている各コンテンツの複製可能回数を管理する。なお、記憶部２４に記憶されているコンテンツは、ダビング１０のコンテンツ以外に、コピーワンスのコンテンツやコピー制限がない（無制限に複製可能な）コンテンツを含んでいてもよく、複製回数管理部２０は各コンテンツの複製可能回数を管理するが、以下、単に「コンテンツ」と記載する場合は「ダビング１０のコンテンツ」を示すものとする。
【００３８】
また、複製回数管理部２０はコンテンツが複製される度に、当該コンテンツの複製可能回数を１ずつ減算し、減算後の複製可能回数を当該コンテンツの複製可能回数として管理する。さらに、複製回数管理部２０は、複製回数設定部１９によりフォーマット変換後のコンテンツに複製可能回数が設定されたときに、オリジナルコンテンツの複製可能回数から複製回数設定部１９により設定された複製可能回数（すなわちフォーマット変換後のコンテンツの複製可能回数）を減算し、減算後の複製可能回数を当該コンテンツの複製可能回数として管理する。
【００３９】
例えばオリジナルコンテンツの複製可能回数が９回であり、複製回数設定部１９により、変換部１６によるフォーマット変換後のコンテンツの複製回数が３回と設定されたときは、９から３を減算し、オリジナルのコンテンツの複製可能回数を６回として管理する。
【００４０】
複製回数変更部２１は複製回数設定部１９により設定されたフォーマット変換後のコンテンツの複製可能回数を変更する手段である。複製回数変更部２１により複製可能回数を増加、或いは減少させることができる。但し、複製可能回数を増加させる場合において、増加させることが可能な回数は、オリジナルコンテンツの複製可能回数以下である。例えば、オリジナルコンテンツの複製可能回数が６回、フォーマット変換後のコンテンツの複製可能回数が３回であれば、複製回数変更部２１によって増加させることができるフォーマット変換後のコンテンツの複製可能回数（複製回数の増加量）は最大で６回であり、すなわち最大でフォーマット変換後のコンテンツの複製可能回数を９回とすることができる。
【００４１】
複製回数管理部２０は複製回数変更部２１によってフォーマット変換後のコンテンツの複製可能回数が変更されたときは、当該変更に応じてオリジナルコンテンツの複製可能回数を変更し、管理する。例えば、オリジナルコンテンツの複製可能回数が６回、フォーマット変換後のコンテンツの複製可能回数が３回であるときに、フォーマット変換後のコンテンツの複製可能回数が５回に変更された場合には、オリジナルコンテンツの複製可能回数を４回に変更して管理する。また、フォーマット変換後のコンテンツの複製可能回数が２回に変更された場合には、オリジナルコンテンツの複製可能回数を７回に変更して管理する。
【００４２】
表示部２２は映像やメニュー画面、設定画面を表示するための表示手段である。コンテンツのフォーマット変換、フォーマット変換後のコンテンツの複製可能回数の設定、変更は設定画面を介して行われる。当該設定画面の詳細については後述する。
【００４３】
操作部２３は映像の再生や停止を行ったり、メニューや設定画面を操作したりするための入力操作手段である。なお、操作部２３としては、コンテンツ記録装置１本体に各種のキーやボタンを設けてもよいし、表示部２２にタッチパネル機能を付加してもよい。また、操作部２３としてコンテンツ記録装置１本体を遠隔操作するためのリモートコントローラを操作部２３として用いても構わない。
【００４４】
記憶部２４はコンテンツを記憶する記憶手段である。記憶部２４は内部記憶手段、外部記憶手段のいずれであってもよいし、双方であってもよい。記憶部２４にはオリジナルコンテンツと共に、フォーマット変換後のコンテンツが記憶される。但しコンテンツの複製可能回数が０回になったときにはそのコンテンツは記憶部２４から削除される（複製先の機器にコンテンツが移動する）。
【００４５】
なお、説明の簡略化のため、コンテンツ記録装置１は、複製回数設定部１９、複製回数管理部２０、複製回数変更部２１を夫々別構成として説明したが、これらの一部又は全部を一構成としてもよいし、これらの一部又は全部を制御部１１が備える構成としてもよい。
【００４６】
図２は本発明のコンテンツ記録装置１の録画時におけるコンテンツの複製設定の流れを示すフローチャートである。録画時においては複製対象となるコンテンツの録画が完了していないため、複製処理は録画が完了するまで行うことができない。そこで、録画が完了すると同時にフォーマット変換等を行うように設定することによりユーザがコンテンツを複製したいときに即座に複製できるようにするものである。なお、録画としては、現在放送中の番組を録画する場合であっても、予約録画であってもよい。
【００４７】
図３は表示部１２に表示される番組表の一例を示す図である。具体的には、地上デジタル放送の番組表において、番組Ａの番組内容が表示されている。画面右下には「録画する」、「見る」、「閉じる」が夫々選択可能に表示されており、「録画する」を選択することによって録画設定を行うことができる。
【００４８】
ユーザにより「録画する」が選択されたときは、録画設定画面が表示される（ステップＳ０１）。図４は「録画する」が選択されたときに表示部２２に表示される録画設定画面を示す図である。録画設定画面には、例えば図４に示すような「録画日」、「録画先」、「録画モード」、「持ち出し用録画」、「詳細設定」等の録画設定メニューが表示される。ユーザは録画設定メニューの中から「持ち出し用録画」を選択することにより、コンテンツの複製設定を行うことができる。
【００４９】
ユーザにより「持ち出し用録画」が選択されたときは、複製設定画面が表示される（ステップＳ０２）。複製設定画面には、例えば図５に示すようにどのようなフォーマットで複製するかを設定する「画質（ｂｐｓ）」メニューと、フォーマット変換後のコンテンツの複製可能回数を設定する「持ち出し回数」メニューが選択可能に表示される。
【００５０】
「画質」が選択されると（ステップＳ０３のＹ及びステップＳ０４のＹ）、画質設定画面が表示される（ステップＳ０５）。画質設定画面には、例えば図６に示すように複製先の機器の種別（名称）及び映像の画質（ｂｐｓ）が選択可能に表示される。なお、図６に示す画質設定画面は例示であってこれに限られるものではない。また、音声のｂｐｓを設定可能としてもよい。
【００５１】
一方、「持ち出し回数」が選択されると（ステップＳ０３のＹ及びステップＳ０４のＮ）、複製回数設定画面が表示される（ステップＳ０６）。複製回数設定画面には、図７に示すように複製回数が選択可能に表示され、任意の回数を選択することにより、フォーマット変換後のコンテンツの複製回数が設定される。
【００５２】
ユーザによって複製設定画面が閉じられ（ステップＳ０７のＹ）、録画開始が指示されると（ステップＳ０８のＹ）録画が開始される。そして、コンテンツの録画が完了すると（ステップＳ０９のＹ）、変換部１６はコンテンツをステップＳ０５で設定されたフォーマットに変換し、複製回数設定部１９はフォーマット変換後のコンテンツにステップＳ０６で設定された複製回数を当該フォーマット変換後のコンテンツの複製可能回数として設定する（ステップＳ１０）。
【００５３】
本実施形態によれば、フォーマット変換後のコンテンツに複製可能回数が設定可能となり、当該コンテンツは設定された回数複製が可能となる。これにより、同一のフォーマット形式に対応した複数の機器に同一のコンテンツを複製する際に、複製する度にフォーマット変換を行う必要がない。すなわち、設定された複製可能回数が０回になるまでフォーマット変換後のコンテンツが保持され、複製可能なので複数の機器に短時間でコンテンツを複製することができる。
【００５４】
また、フォーマット変換前のコンテンツが記憶手段に記憶されている。従って、オリジナルコンテンツに基づいてさらに異なるフォーマットに変換することができる。
【００５５】
また、オリジナルコンテンツの複製可能回数とフォーマット変換後のコンテンツの複製可能回数の合計が、複製回数に制限のあるコンテンツにおける残りの複製可能回数と等しくなる。従って適切に複製処理を行うことができる。
【００５６】
[第２実施形態]
図８は本発明のコンテンツ記録装置１の録画済コンテンツの複製設定の流れを示すフローチャートである。録画済コンテンツについては即座に複製処理を行うことができる。
【００５７】
ユーザにより複製設定画面の表示が要求されると、複製設定画面が表示される（ステップＳ１１）。図９は表示部２２に表示される複製設定画面を示す図である。なお、図９において複製設定画面は画面右側の領域に表示されている。複製設定画面には、例えば図９に示すようにどのようなフォーマットで複製するかを設定する「画質（ｂｐｓ）」メニューと、フォーマット変換後のコンテンツの複製可能回数を設定する「持ち出し回数」メニューが選択可能に表示される。
【００５８】
なお、図９において「画質」メニューと「持ち出し回数」メニューには夫々現在設定されている画質及び回数が表示されている。「画質」が選択されると（ステップＳ１２のＹ及びステップＳ１３のＹ）、画質設定画面が表示される（ステップＳ１４）。画質設定画面には第１実施形態と同様に複製先の機器の種別（名称）及び映像の画質（ｂｐｓ）が設定に表示される。
【００５９】
一方、「持ち出し回数」が選択されると（ステップＳ１２のＹ及びステップＳ１３のＮ）、複製回数設定画面が表示される（ステップＳ１５）。複製回数設定画面には、第１実施形態と同様に複製回数が選択可能に表示される。
【００６０】
ユーザによって複製開始が指示されると（ステップＳ１６のＹ）、変換部１６はコンテンツをステップＳ１４で設定されたフォーマットに変換し、複製回数設定部１９はフォーマット変換後のコンテンツにステップＳ１５で設定された複製回数を当該フォーマット変換後のコンテンツの複製可能回数として設定する（ステップＳ１７）。
【００６１】
本実施形態によれば第１実施形態と同様の効果を奏する。
【００６２】
[その他]
上記各実施形態において、フォーマット変換後のコンテンツの複製可能回数の設定は、フォーマット変換前に行うこととしたが、フォーマット変更後に複製可能回数を変更可能としてもよい。例えば当初３台の携帯電話に複製するために複製可能回数を３回に設定してフォーマット変換を行ったが、その後、複製したい携帯電話の台数が４台に増えることが考えられる。そのような場合に複製可能回数を変更可能とすることにより、４回目以降の複製におけるフォーマット変換の時間が必要なくなる。
【００６３】
また、同様に、複製したい携帯電話の台数が２台に減ることが考えられる。そのような場合には１台分（１回分）の複製回数が無駄になってしまうことになる。そこで複製回数変更部２１によりフォーマット変換後のコンテンツの複製可能回数が減らされたときに、複製回数管理部２０はフォーマット変換後のコンテンツの複製可能回数を減少後の複製可能回数として管理するとともに、オリジナルコンテンツの複製可能回数を、フォーマット変換後のコンテンツの複製可能回数の減少分だけ増加させて当該増加後の複製可能回数をオリジナルコンテンツの複製可能回数として管理する。これにより複製回数が無駄になるのを防ぐことができる。
【００６４】
また、上記各実施形態において、複製回数設定部２１は、画質（フォーマット）と持ち出し回数（複製可能回数）を夫々設定しているが、同時に複数の画質を選択可能とし、選択した画質毎に持ち出し可能回数を設定可能としてもよい。すなわち、上述したようにフォーマットは複製先の機器によって異なる。そのような場合に、１のフォーマットへの複製設定を行った後に、再度複製設定画面を開いて別のフォーマットへの複製設定を行わなければならないのは手間である。
【００６５】
そこで例えば図１０に示すように複製設定画面において、各設定（図１０に示す第１の設定、第２の設定）において画質、持ち出し回数を設定可能とすることにより、コンテンツの複数フォーマットへの変換を一度の設定で行うことができる。これにより、ユーザの利便性が向上する。なお、図１０では２つの異なるフォーマットを選択可能としているが、選択可能なフォーマット数はこれに限られるものではなく任意の数とすればよい。
【００６６】
また、上記各実施形態において、コンテンツ記録装置１の複製回数設定部１９は変換時間設定手段（図示せず）を有することとしてもよい。すなわち、上記各実施形態では、録画終了後、或いは、フォーマット変換指示後すぐにフォーマット変換が開始されるが、フォーマット変換が開始されるとＣＰＵ１１１に負荷が発生する。
【００６７】
従って、フォーマット変換指示後或いは録画終了後に、フォーマット変換以外の他の処理を行おうとしても当該他の処理が開始されない、或いは、開始されても処理速度が遅いなどの弊害が発生する可能性がある。そこで変換時間設定手段によりフォーマット変換の開始時間を設定することで、他の処理が行われない時間帯にフォーマット変換を行わせることができる。
【００６８】
特に上述したように、コンテンツの複数フォーマットへの変換を一度の設定で行うことができる場合には、全てのフォーマットへの変換には多大な時間を要するため、フォーマット毎にフォーマット開始時間を設定することができれば、各フォーマットへの変換を所望の時間に行わせることができる。
【００６９】
なお、複製回数設定部１９が変換時間設定手段を有することとしたがこれに限られるものではなく、変換時間設定手段が独立して設けられることとしてもよいし、制御部１１等が変換時間設定手段を有することとしてもよい。
【産業上の利用可能性】
【００７０】
本発明は、コンテンツ記録装置及びダビング管理方法に利用できる。
【符号の説明】
【００７１】
１      コンテンツ記録装置
１１    制御部
１２    アンテナ
１３    チューナ
１４    信号処理部
１５    映像処理部
１６    変換部
１７    音声処理部
１８    スピーカ
１９    複製回数設定部
２０    複製回数管理部
２１    複製回数変更部
２２    表示部
２３    操作部
２４    記憶部
【図１】
2014044637.tif 000003
【図２】
2014044637.tif 000004
【図３】
2014044637.tif 000005
【図４】
2014044637.tif 000006
【図５】
2014044637.tif 000007
【図６】
2014044637.tif 000008
【図７】
2014044637.tif 000009
【図８】
2014044637.tif 000010
【図９】
2014044637.tif 000011
【図１０】
2014044637.tif 000012